(57)【要約】【課題】広い空間を必要としない可搬式の低電力多機能画像装置を提供する。【解決手段】画像情報を光アドレス媒体のシートに印刷する多機能画像装置が、画像取得部と、画像生成部、任意の画像変換部と、光アドレス媒体を画像情報で照射するための画像プロジェクタとを備える。光アドレス媒体に対する周囲光の影響は、投射された光の波長に反応するように、および／または、光アドレス媒体上に入射する投射されない光を低減する帯域フィルタを挿入するように、光アドレス媒体の応答特性を調整することによって低減される。光アドレス媒体のプログラム可能な特性は、周囲光を補償するために調整可能である。光アドレス媒体のレジストレーションマークは、光アドレス媒体に対する投射された画像の位置合わせを可能にする。他の任意の画像変換が、情報画像のサイズを調整し、明瞭度を向上する等のために適用される。【選択図】図１
2007104686.tif 000002
【特許請求の範囲】
【請求項１】
携帯可能な空間的可変照明光源と、
画像情報を取得するための画像取得手段と、
前記画像情報に基づいて照明画像を生成するための画像生成手段と、
前記携帯可能な空間的可変照明光源を使用して、前記照明画像を光アドレス媒体に投射するための携帯可能な投射手段と、
を備える多機能装置。
【請求項２】
前記光アドレス媒体の特性を決定する登録手段と、前記特性に基づいて前記画像情報を変換する変換手段とを更に備える請求項１記載の多機能装置。
【請求項３】
前記光アドレス媒体の前記特性がキーストーニング、非垂直投射、スキュー、位置合わせ、折り曲げ、および不均一性の少なくとも１つである請求項２記載の多機能装置。
【請求項４】
前記登録手段がカメラ、光検出器、電荷結合素子（ＣＣＤ）およびレーザ・バーコードリーダの少なくとも１つである請求項２記載の多機能装置。
【請求項５】
前記画像取得手段がカメラ、電荷結合素子および光検出器の少なくとも１つで構成される請求項１記載の多機能装置。
【請求項６】
前記投射手段が、点光源プロジェクタおよび画像源プロジェクタの少なくとも１つである請求項１記載の多機能装置。
【請求項７】
前記点光源プロジェクタが、発光ダイオード（ＬＥＤ）、レーザ、半導体、赤外線エミッタ、プロジェクタに基づく液晶ディスプレイ（ＬＣＤ）、デジタルライトプロジェクタ（ＤＬＰ）および有機発光ダイオード（ＯＬＥＤ）の少なくとも１つを備える請求項６記載の多機能装置。
【請求項８】
前記点光源がマイクロプロジェクタである請求項１記載の多機能装置。
【請求項９】
前記光アドレス媒体が、コレステリック材料、感光性インク、フォトクロミックインク、有機光伝導体およびヒドロキシ・ガリウム・タロシアニン電荷発生材料の少なくとも１つを含む請求項１記載の多機能装置。
【請求項１０】
前記光アドレス媒体が、光アドレスペーパおよび富士ゼロックス社製の光アドレス電子ペーパの少なくとも１つである請求項１記載の多機能装置。
【請求項１１】
画像源から第１の画像を決定するステップと、
光アドレス媒体を決定するステップと、
前記第１の画像に基づいて前記光アドレス媒体の空間的可変照明を決定するステップと、
携帯可能な照明光源を用いて前記第１の画像を前記光アドレス媒体に投射するステップと、
を含む光アドレス媒体上へ画像を記録する方法。
【請求項１２】
前記光アドレス媒体の特性を決定すること、および前記特性に基づいて前記第１の画像を変換することをさらに含む請求項１１記載の方法。
【請求項１３】
前記光アドレス媒体の前記特性がキーストーニング、非垂直投射、スキュー、位置合わせ、折り曲げ、および不均一性の少なくとも１つである請求項１２記載の方法。
【請求項１４】
カメラ、光検出器、電荷結合素子（ＣＣＤ）およびレーザ・バーコードの少なくとも１つを含む登録手段が、前記光アドレス媒体に対して前記第１の画像を位置合わせするために使用される請求項１２記載の方法。
【請求項１５】
請求項１記載の多機能装置によって投射される前記画像情報の安定した記録のための光アドレス媒体。
【請求項１６】
前記投射された情報画像の配向に使用可能なレジストレーションマークを更に備える請求項１５記載の光アドレス媒体。
【請求項１７】
前記光アドレス媒体は、少なくとも２つの安定状態と関連する材料から成り、前記安定状態がそれぞれ異なる光学特性と関連している求項１５記載の光アドレス媒体。
【請求項１８】
前記光学特性が高コントラストおよび低コントラストの少なくとも１つを含む請求項１７記載の光アドレス媒体。
【請求項１９】
前記画像情報が、プログラミング電圧と入射電磁放射線との組合わせを使用して前記材料に記録される請求項１５記載の光アドレス媒体。
【請求項２０】
前記材料の光学特性が前記入射投射画像情報に基づき設定される請求項１５記載の光アドレス媒体。
【請求項２１】
プログラミング電圧が前記情報画像を記録するための前記材料に印加される請求項２０記載の光アドレス媒体。
【請求項２２】
前記材料が、コレステリック材料、感光性インク、フォトクロミック・インク、有機光導電体およびヒドロキシ・ガリウム・プタロシアニン電荷発生材料の少なくとも１つを含む請求項２１記載の光アドレス媒体。
【請求項２３】
前記光アドレス媒体が、周囲光と頻繁に関連しない電磁放射の波長に反応する請求項１５記載の光アドレス媒体。
【請求項２４】
前記周囲光は、蛍光灯、白熱光、ハロゲンライトおよび太陽光の少なくとも１つである請求項２３記載の光アドレス媒体。
【請求項２５】
画像源から第１の画像を決定する命令と、
光アドレス媒体を決定する命令と、
前記第１の画像に基づいて前記光アドレス媒体の空間的可変照明を決定する命令と、
携帯可能な照明光源を使用して前記第１の画像を前記光アドレス媒体に投射する命令と、
をコンピュータに実行させるコンピュータプログラム。
【請求項２６】
前記投射された画像情報に対する周囲光の影響を低減するフィルタを更に備える請求項１記載の多機能装置。
【請求項２７】
前記携帯可能な空間的可変照明光源の波長が周囲光と区別可能である請求項１記載の多機能装置。
【請求項２８】
前記携帯可能な空間的可変照明光源が、少なくとも２種類の異なる照明から成る請求項１記載の多機能装置。
【請求項２９】
前記装置が携帯可能装置と結合される請求項１記載の多機能装置。
【請求項３０】
前記携帯可能装置が、携帯可能電話、携帯電話、携帯可能デジタルアシスタント、カメラ、コンピュータ、ラップトップコンピュータ、メモリ装置、メモリカード、親指ドライブおよびＵＳＢドライブの１つである請求項２９記載の多機能装置。
【発明の詳細な説明】
【技術分野】
【０００１】
本発明は、多機能画像装置及び方法並びにコンピュータ・プログラムに関する。
【背景技術】
【０００２】
従来の印刷システムは、ある範囲の印刷オプションをユーザーに提供する。例えば、従来のレーザプリンタは、耐久性を有する用紙に対してトナー粒子を永久的に溶着させる。これらの従来のレーザー画像形成システムは、低コストのアーカイバル品質印刷を提供するが、大電力を必要とするため、携帯用途には一般的に適していない。従来のインクジェットプリンタは、タンクから種々のカラーインクを用紙に対して放出するために、インクノズルを有するヘッドを使用する。インクジェットプリンタは一般的に購入価格は高くはないが、通常、インクコストのために印刷コストが高くなる。
【０００３】
従来の印刷および走査装置のメーカーは、単一の多機能装置に走査および印刷の機能を組み合わせて単一の多機能装置としている。これらの従来の多機能装置は、インクジェットプリンタまたはレーザプリンタに光走査装置を組み込んでいる。これらの従来の多機能装置は、小規模のホームオフィスにおいて占有する空間を削減するために有効である。しかし、これらの多機能装置は、携帯可能コンピュータ環境にはあまり適していない。例えば、レーザベースの多機能装置は、通常、画像ドラムの画像作成のための加熱の際、及び、画像トナー粒子の加熱の際に大量の電力を消費する。
【０００４】
インクジェットベースの多機能装置も、大量の貴重なモバイル電力を消費する。さらに、それによって得られる画像品質は、所期の目的に適していないこともある。
【発明の開示】
【発明が解決しようとする課題】
【０００５】
従来のスキャナは、ページの各部分から光の反射を記録することにより画像を走査する。ハンドスキャナは画像を取り込み、そして複数の画像を組み合わせて、原本を表わす単一の画像とするためのソフトウェアを使用する。他の従来のスキャナは、光検出器の固定アレイ上で用紙を移動させるか、あるいは、走査されるべき画像上で光検出器の固定アレイを移動させる。位置合わせの問題により、従来のハンドスキャナで良質の走査画像を生成することは困難である。より良い画像が、光検出器の固定アレイを組み込んだ従来のスキャナでは、より良好な画像が生成される。しかし、従来の固定アレイ光検出器は、通常のモバイル環境では確保できないスペースを必要とする。したがって、大量のスペースを必要としない携帯可能な低電力多機能装置が有用である。
【課題を解決するための手段】
【０００６】
画像情報を光アドレス媒体のシートに印刷する多機能装置のためのシステムおよび方法について説明する。多機能装置は画像取得コンポーネントと、画像生成コンポーネントと、任意の画像変換コンポーネントと、光アドレス媒体を任意に変換された画像情報で照射するための画像プロジェクタとを備える。光アドレス媒体に対する周囲光の影響は、投射された光の波長に応答するように、および／または、光アドレス媒体上に入射する非投射光を低減するための帯域フィルタを挿入するように、光アドレス媒体の応答特性を調整することによって、低減する。光アドレス媒体のプログラム可能な特性は、周囲光を補償するために任意に調整される。光アドレス媒体上のレジストレーションマークは、光アドレス媒体に対する投射画像の位置合わせを可能にする。さらなるオプション画像の変換が、情報画像のサイズを調整したり、明瞭度を向上する等のために適用される。
【０００７】
本発明の請求項１の態様によれば、多機能装置が、携帯可能な空間的可変照明光源（portable spatially variable source of illumination）と、画像情報を取得するための画像取得手段と、前記画像情報に基づいて照明画像を生成するための画像生成手段と、前記携帯可能な空間的可変照明光源を使用して、前記照明画像を光アドレス媒体に投射するための携帯可能な投射手段とを備える。
【０００８】
本発明の請求項２の態様によれば、請求項１記載の多機能装置が、前記光アドレス媒体の特性を決定する登録手段と、前記特性に基づいて前記画像情報を変換する変換手段とを更に備える。
【０００９】
本発明の請求項３の態様によれば、前記光アドレス媒体の前記特性がキーストーニング、非垂直入射、スキュー、位置合わせ、折り曲げ、および不均一の少なくとも１つである。
【００１０】
本発明の請求項４の態様によれば、前記登録手段がカメラ、光検出器、電荷結合素子（ＣＣＤ）およびレーザ・バーコードリーダの少なくとも１つである。
【００１１】
本発明の請求項５の態様によれば、前記画像取得手段がカメラ、電荷結合素子および光検出器の少なくとも１つを備える。
【００１２】
本発明の請求項６の態様によれば、前記投射手段が、点光源プロジェクタおよび画像源プロジェクタの少なくとも１つである。
【００１３】
本発明の請求項７の態様によれば、前記点光源プロジェクタが、発光ダイオード（ＬＥＤ）、レーザ、半導体、赤外線エミッタ、プロジェクタに基づく液晶ディスプレイ（ＬＣＤ）、デジタルライトプロジェクタ（ＤＬＰ）および有機発光ダイオード（ＯＬＥＤ）の少なくとも１つを備える。
【００１４】
本発明の請求項８の態様によれば、前記点光源がマイクロプロジェクタである。
【００１５】
本発明の請求項９の態様によれば、前記光アドレス媒体が、コレステリック材料、感光性インク、フォトクロミックインク、有機光伝導体およびヒドロキシ・ガリウム・タロシアニン電荷発生材料の少なくとも１つを含む。
【００１６】
本発明の請求項１０の態様によれば、前記光アドレス媒体が、光アドレスペーパおよび富士ゼロックス社製の光アドレス電子ペーパの少なくとも１つである。
【００１７】
本発明の請求項１１の態様によれば、光アドレス媒体上へ画像を記録する方法が、画像源から第１の画像を決定するステップと、光アドレス媒体を決定するステップと、前記第１の画像に基づいて前記光アドレス媒体の空間的可変照明を決定するステップと、携帯可能な照明光源を用いて前記第１の画像を前記光アドレス媒体に投射するステップとを含む。
【００１８】
本発明の請求項１２の態様によれば、前記方法において、前記光アドレス媒体の特性を決定すること、および前記特性に基づいて前記第１の画像を変換することをさらに含む。
【００１９】
本発明の請求項１３の態様によれば、前記方法において、前記光アドレス媒体の前記特性がキーストーニング、非垂直入射、スキュー、位置合わせ、折り曲げ、および不均一の少なくとも１つである。
【００２０】
本発明の請求項１４の態様によれば、前記方法において、カメラ、光検出器、電荷結合素子（ＣＣＤ）およびレーザ・バーコードの少なくとも１つを含む登録手段が、前記光アドレス媒体に対して前記第１の画像を位置合わせするために使用される。
【００２１】
本発明の請求項１５の態様によれば、請求項１記載の多機能装置によって投射される前記画像情報の安定した記録のための光アドレス媒体が提供される。
【００２２】
本発明の請求項１６の態様によれば、前記光アドレス媒体前記投射された情報画像の配向に使用可能なレジストレーションマークを更に備える。
【００２３】
本発明の請求項１７の態様によれば、前記光アドレス媒体が、少なくとも２つの安定状態と関連する材料から成り、前記安定状態がそれぞれ異なる光学特性と関連している。
【００２４】
本発明の請求項１８の態様によれば、前記光アドレス媒体が、前記光学特性が高コントラストおよび低コントラストの少なくとも１つを含む。
【００２５】
本発明の請求項１９の態様によれば、前記光アドレス媒体において、前記画像情報が、プログラミング電圧と入射電磁放射線との組合わせを使用する材料に記録される。
【００２６】
本発明の請求項２０の態様によれば、前記光アドレス媒体において、前記材料の光学特性が前記入射投射画像情報に基づき設定される。
【００２７】
本発明の請求項２１の態様によれば、前記光アドレス媒体において、プログラミング電圧が前記情報画像を記録するための前記材料に印加される。
【００２８】
本発明の請求項２２の態様によれば、前記光アドレス媒体において、前記材料が、コレステリック材料、感光性インク、フォトクロミック・インク、有機光導電体およびヒドロキシ・ガリウム・プタロシアニン電荷発生材料の少なくとも１つを含む。
【００２９】
本発明の請求項２３の態様によれば、前記光アドレス媒体が、周囲光と頻繁に関連しない電磁放射の波長に反応する。
【００３０】
本発明の請求項２４の態様によれば、前記光アドレス媒体において、前記周囲光は、蛍光灯、白熱光、ハロゲンライトおよび太陽光の少なくとも１つである。
【００３１】
本発明の請求項２５の態様によれば、コンピュータプログラムであって、画像源から第１の画像を決定する命令と、光アドレス媒体を決定する命令と、前記第１の画像に基づいて前記光アドレス媒体の空間的可変照明を決定する命令と、携帯可能な照明光源を使用して前記第１の画像を前記光アドレス媒体に投射する命令とをコンピュータに実行させる。
【００３２】
本発明の請求項２６の態様によれば、前記多機能装置が、前記投射された画像情報に対する周囲光の影響を低減するフィルタを更に備える。
【００３３】
本発明の請求項２７の態様によれば、前記携帯可能な空間的可変照明光源の波長が周囲光と区別可能である。
【００３４】
本発明の請求項２８の態様によれば、前記携帯可能な空間的可変照明光源が、少なくとも２種類の異なる照明から成る。
【００３５】
本発明の請求項２９の態様によれば、前記多機能装置が携帯可能装置と結合される。
【００３６】
本発明の請求項３０の態様によれば、前記携帯可能装置が、携帯可能電話、携帯電話、携帯可能デジタルアシスタント、カメラ、コンピュータ、ラップトップコンピュータ、メモリ装置、メモリカード、親指ドライブおよびＵＳＢドライブの１つである。
【発明を実施するための最良の形態】
【００３７】
図１は、本発明の多機能装置１００の第１の例示的実施形態である。取得画像情報４００は多機能装置１００によって受信される。取得画像情報４００は埋め込み式のカメラを使用して取り込まれ、画像リポジトリ、インターネット等から検索される。
【００３８】
照明画像は取得画像情４００と、画像が印刷される光アドレス媒体の特性とに基づいて生成される。例えば、ある光アドレス媒体は、感光性であり、かつ入射照明に応答して光コントラスト性質を変化する。したがって、ある例示的実形態では、光アドレス媒体の照明領域は、非照明領域より高い光コントラストを伴う。しかし、照明領域の光コントラストを低減する他のタイプの光アドレス媒体も、本発明の実施においては使用可能である。したがって、これらの光アドレス媒体では、所望の結果を得るためには、陽または陰の照明画像が必要とされうる。
【００３９】
その場合、陽または陰照明画像は光アドレス媒体に対して適用または投射される。本発明の種々の例示的実施形態では、照明画像は、シンボル・テクノロジーズ社のレーザベース型マイクロ・プロジェクタ等を用いて光アドレス媒体に対して投射される。しかし、例えば発光ダイオード（ＬＥＤ）、ランプ、鏡、液晶ベースプロジェクタ、デジタルライトプロジェクタ（ＤＬＰ）等の他の照明光源も、本発明の範囲から逸脱せずに、単独で或いは組み合わせて使用されうることが明らかであろう。したがって、他の例示的実施形態では、赤色レーザ照明光源が、光アドレス媒体を照射するために同軸方向に赤外線レーザ照明光源と結合される。結合された照明光源は、光アドレス媒体に対して照明画像を記録するための光パワーを増大さを提供する。ある実施形態では、照明光源および光アドレス媒体は、周囲光干渉を最小限に抑えるように選択される。他の例示的実施形態では、照明画像が光アドレス媒体上へ記録される間、周囲光の干渉の影響を低減するために、帯域フィルタが使用される。
【００４０】
場合によっては、光アドレス媒体の照明画像を取り込むために更なるステップが要求され得る。富士ゼロックス株式会社製の或るタイプの電子ペーパは、特定の時間、電源を印加することを必要とする。電源は、電池および押しボタン駆動装置等を組み込んだ携帯可能なパワークリップを使用して印加され得る。光アドレス媒体が照明画像で照射されると、駆動装置は電力を印加し、プログラミング電圧が光アドレス媒体に印加される。光アドレス媒体に適用される投射照明画像が、その光アドレス媒体の複数の部分の伝導性を一時的に変化させ、光アドレス媒体の光伝導性部分を第２の安定状態に変更させる。この第２の安定状態は、第１の安定状態と異なる光学特性を伴う。駆動装置が開放されて、電力は除去される。双安定の光アドレス媒体は、光アドレス媒体の光コントラスト差で投射照明画像を記録する。
【００４１】
本発明の種々の例示的実形態では、光アドレス媒体等の指定領域内に取得画像を適合するべく、取得画像４００は、斜め光アドレス媒体、キーストーニングを補償するために任意に変換される。
【００４２】
図２は、本発明の多機能装置１００の第２の例示的実施形態である。入力／出力部１０は、メモリ２０、プロセッサ３０、画像取得部３５、照明画像生成部４０、光変換部５０、任意の周囲照明部６０、任意の登録部７０および照明光源８０に接続されている。
【００４３】
１つの例示的実施形態では、画像取得部３５が、画像源から画像を取得するために起動される。画像源はこれに限定されるものではないが、画像リポジトリ、ディスクファイル、埋め込式或いは外付け式のデジタルカメラ、画像走査装置、画像ファイルを生成可能なソフトウェアアプリケーション、および／または既知の或いは後に発展した画像源を備えてもよい。
【００４４】
取得画像は、プロセッサ３０により、メモリ２０内に記憶される。プロセッサ３０は、取得画像に基づいて照明画像を決定するために照明画像生成部４０を起動する。照明画像生成部４０は、光アドレス媒体上へ投射される適切な陽または陰のコントラスト領域の画像を生成する。その後、決定された照明画像は、照明光源８０によって光アドレス媒体に投射される。照明光源８０は、レーザのような点光源、またはデジタルライトプロジェクタ（ＤＬＰ）等のような非点光源であり得る。多数の照明光源を組み合わせてもよい。種々の例示的実施形態において、光アドレス媒体の応答特性に調整された１つ以上の照明光源が使用される。例えば、１つの実施形態においては、光アドレス媒体に照明画像を照射するための大きい光パワーを有する組み合わされた照明光源提供するために、赤色レーザが同軸的に赤外線レーザと結合される。
【００４５】
種々の他の例示的実施形態では、任意の周囲照明部６０が起動される。周囲照明部６０は、光アドレス媒体上への周囲照明入射のレベルを決定する。照明画像および／または光アドレス媒体に印加されるプログラミング電圧を調整する補償が決定される。例えば、照明光源は、周囲光によってすでに照射された画像の領域には弱い照明を伝達してもよい。なぜなら、これらの領域の画像を書き込むためには、小さな付加エネルギーで十分だからである。さらに他の例示的実施形態では、照明画像を書き込むために光アドレス媒体３００に印加される所要のプログラミング電圧は、決定された周囲照明に基づいて調整される。すなわち、すでに周囲照明を受けている画像領域に印加される電圧は、付加光を補償するために低減される。
【００４６】
プロセッサ３０は、照明画像の変換を決定するために任意の変換部５０を任意に起動させる。この変換は、投射された画像を光アドレス媒体の現在の位置に位置決めまたは合致させるために照明画像の変換を決定することを含んでいてもよいが、それには限定されない。本発明の１つの例示的実施形態では、左上、右上、左下および右下のレジストレーションマークが、任意の登録部７０を起動させることによって識別される。レジストレーションマークは、光アドレス媒体の配向、位置決め及び傾斜を決定するために使用される。その後、キーストーニングまたは、非垂直投射、デスキュー（ｄｅ−ｓｋｅｗｉｎｇ）等のための補償画像変換を決定するために使用される。
【００４７】
種々の実施形態では、任意の登録部７０は、ブランクの光アドレス媒体の画像を取り込むカメラを備える。しかし、本発明の精神または範囲から逸脱することなく、登録部は、光アドレス媒体の登録および位置決めを決定する任意の公知のまたは後で決定された方法も使用し得ることが明らかであろう。
【００４８】
図３は、本発明の多機能装置１００に使用可能な種々の画像源の例示的な概観図である。第１の実施形態では、画像を取り込むためにカメラ５１０が使用される。カメラはデジタルカメラでもアナログカメラでもよい。取り込まれた画像は通信リンク９９を通じて多機能装置１００へ転送される。通信リンク９９は無線リンクまたは有線
接続であってもよい。無線リンクはブルートゥース、ＷｉＦｉ、赤外線等に基づいてもよい。有線リンクは、ＵＳＢ、直列、並列、イーサネット（登録商標）等を含み得るが、それに限定されるものではない。取り込まれた画像は、配向を補償するために任意に転送されて、光アドレス媒体３００上へ投射される。
【００４９】
種々の例示的実施形態では、取り込まれた画像は、投射された画像を光アドレス媒体に対して位置決めするために、多機能装置１００によって変換される。例えば、レジストレーションマークは、光アドレス媒体上に配置され得る。多機能装置１００内の登録部は、レジストレーションマークの空間位置を検出し、画像に印加される任意の変換を決定するためにその情報を使用する。その後、変換された画像は、照明光源を使用して光アドレス媒体上へ投射される。種々の他の例示的実施形態では、照明光源は、光アドレス媒体の応答特性に対して整合または調整される。例えば、１つの実施形態では、投射された画像は、赤光ベースのマイクロプロジェクタレーザを赤外レーザに同軸的に結合することによって作成され得る。コレステリック結晶及び光導電体を含む光アドレス媒体は、結合された照明光源の波長に反応するよう設計されている。周囲光は赤色レーザおよび赤外線波長の両方を含む可能性が少なく、このことにより、光アドレス媒体上の周囲光の影響を低減する。
【００５０】
第２の例示的実施形態では、画像は、事前に取り込まれカメラ５１０からダウンロードされ画像を含む画像リポジトリ５２０から取得される。すなわち、画像リポジトリは、オンライン写真アルバム等を含むことができる。画像が、画像リポジトリから取得されて、多機能装置１００へ転送される。次に、その取得画像は光アドレス媒体、周囲照明等の配向に基づいて任意に変換される。その後、その任意に変換された画像は光アドレス媒体３００へ投射される。
【００５１】
第３の例示的実施形態では、画像はインターネットリポジトリ５３０から取得される。インターネットリポジトリ５３０は、クリップアート・ライブラリに基づくファイル転送プロトコル（ＦＴＰ）、ＨＴＭＬエンコードされたウェブページ、および／または、あらゆる周知の或いは後に発展した画像源であり得る。画像は、ファイル転送プロトコル（ＦＴＰ）、ハイパーテキスト転送プロトコル（ＨＴＴＰ）等を使用して、多機能装置１００にダウンロードされる。取得画像は、任意に変換され、照明光源を使用して光アドレス媒体３００上へ投射される。
【００５２】
本発明の第４の例示的実施形態では、画像は画像アプリケーション５４０から取得される。画像アプリケーション５４０は、アドビフォトショップ（Ａｄｏｂｅ  Ｐｈｏｔｏｓｈｏｐ）、コーレルドロー（Ｃｏｒｅｌ  Ｄｒａｗ）、ヴィジオ（Ｖｉｓｉｏ）等を含むが、これらに限定されるものではない。そして、取得画像は、多機能装置１００へ転送され、任意に変換され、照明光源を使用して光アドレス媒体３００上へ印加または投射される。上記のように、投射された画像を光アドレス媒体に対して位置合わせをするために、種々の任意の変換が適用され、周囲光の影響を補償し、および／または、他の任意の有効な画像変換を実行することができる。
【００５３】
図４は、本発明の例示的な多機能装置１００の使用についての第１の概観図である。画像４００が取り込まれて、デジタルカメラ５１０のメモリカードポート５１２内に挿入されるメモリカード５１１に記憶される。ユーザーは、カメラ・メモリカードポート５１２からメモリカード５１１を取り外す。その後、取得画像４００を含むメモリカード５１１が、多機能装置１００のメモリカード５１３に挿入される。多機能装置１００は、挿入されたメモリカード５１１から取得画像４００を検索する。任意の画像変換が取得画像４００に適用され、そしてその任意に変換された取得画像４００が光アドレス媒体３００上へ投射される。本発明の１つの例示的実施形態では、任意に変換された取得画像は、光アドレス媒体３００の応答特性に対して調整された照明光源を使用して投射される。本発明の種々の他の例示的実施形態では、多機能装置のユーザインタフェースが、ユーザーがメモリカードに記憶されている多数の画像から選択するための手段を提供する。
【００５４】
種々の他の例示的実施形態では、変換された画像が投射されると、プログラミング電圧が光アドレス媒体３００に印加される。プログラミング電圧および投射された画像は、その投射された画像に基づいて光アドレス媒体３００の光伝導性部分の光特性を変える。例えば、プログラミング電圧が、光伝導性材料間に挟着された材料のコレステリック感光層に印加されると、その光伝導性材料の増大した伝導率により、隣接するコレステリック結晶ベースの材料に電力が流れることができる。このことは、コレステリック材料に状態の変化を生じさせることになる。これらの状態は、異なる光学特性に関連した双安定状態である。プログラミング電圧の除去後、コレステリック材料は、新しい安定状態を保持する。それにより、照明画像の複製が光アドレス媒体３００に記録される。
【００５５】
図５は、本発明の多機能装置１０１の第３の例示的実施形態を示す。多機能装置１０１は、画像源から通信リンク９９を通じて取得画像を受信する。画像源は、画像リポジトリ、携帯電話のカメラ、デジタルカメラ、画像アプリケーション、スキャナおよび／または、周知或いは後に発展したあらゆる他の画像源を含み得るが、それらに制限されない。照明画像４００は、取得画像に基づいて決定される。光アドレス媒体３００のシートは、例示的な多機能装置１０１のベッドの所定の場所に保持される。種々の実施形態では、それらのシートは、パワークリップ３２０によって適当な状態に保持される。パワークリップ３２０は、光アドレス媒体３００の光学状態を変えるために必要とされるプログラミング電圧を提供する。本発明の例示的な１つの実施形態では、駆動ボタン３３０は、光アドレス媒体３００に対して所要のプログラム周期のあいだ電圧を選択的に印加するために使用される。プログラム周期は、光アドレス媒体３００の特性に基づいている。光アドレス媒体３００は、必要に応じてレジストレーションマーク３１１から３１４を含む。レジストレーションマークは、多機能装置１０１が光アドレス媒体３００の配向を決定できるようにする。これは、デスキュー、キーストーニングおよび／または、照明画像４００を補償および／または位置合わせするのに有効な他の公知の、或いは後で開発される画像変換の適用を容易にする。
【００５６】
照明画像４００は、照明または光源を使用して、光アドレス媒体上へ投射される。照明画像は、一斉に或いは１つ以上の点光源を介して光アドレス媒体３００を照射する。例えば、１つの例示的実施形態では、シンボル・テクノロジーズ社製マイクロ・プロジェクタ・レーザの出力が、光アドレス媒体３００に対して照明画像４００をラスタライズするため或いは書き込むために使用される。プログラミング電圧が、投射された照明画像４００を記録するために、光アドレス媒体３００に印加される。プログラミング電圧が除去されると、照明画像４００は光アドレス媒体３００により保持される。富士ゼロックス社製電子ペーパのような種々の種類の光アドレス媒体も本発明の精神または範囲から逸脱することなく使用され得ることが明らかであろう。
【００５７】
その後、光アドレス媒体３００は、クリップボードから除去されて、通常の紙と全く同様に使用される。本発明のいくつかの例示的実施形態では、電子ペーパは、それを入射光から遮蔽した状態で第２のプログラミング電圧を印加することによって、消去される。
【００５８】
本発明のさらに他の例示的実施形態では、多機能装置１０１は、周囲照明検出器を備える。その周囲照明検出器は、周囲光量を補償するために照明画像４００および／またはプログラミング電圧を調整或いは変換する。周囲照明検出器は、光検出器、ＣＣＤ、デジタルカメラ等であり得る。
【００５９】
上記のように、取得画像４００は、光アドレス媒体３００により取得画像４００をデスキューおよび／または位置合わせするために任意に変換される。種々の実施形態において、画像変換は、光アドレス媒体３００の不均一を補償するために適用される。さらに他の例示的実施形態では、プログラミング電圧は、ユーザーが駆動ボタン３３０を作動せずに、多機能装置１０１によって自動的に印加される。プログラミング電圧の印加時点を自動的に決定するが、画像処理を容易にする。
【００６０】
本発明のいくつかの例示的実施形態では、任意のユーザ・インタフェースが、液晶ディスプレイ（ＬＣＤ）または他のディスプレイ・コンポーネントを介して付与される。このユーザ・インタフェースは、画像リポジトリまたは他の画像源からの離散画像の選択を容易にする。しかし、取得する標的画像を選択するためには、本発明の範囲から逸脱することなく、音声インタフェースおよび／または、任意の周知の或いは後で開発されるユーザ・インタフェースも使用し得ることは明らかであろう。
【００６１】
図６は、本発明の例示的な光アドレス媒体３００の第１の図である。光アドレス媒体３００は、光伝導性の有機層およびコレステリック液晶で構成される。コレステリックの液晶は、伝導性可変の光学性質及び光アドレス媒体３００の配向を示す任意のレジストレーションマーク３１１−３１４を有する。パワークリップ３３０は、光アドレス媒体３００上へ投射される照明画像４００を記録するためにプログラミング電圧を印加する駆動ボタン３２０を任意に有している。
【００６２】
１つの例示的実施形態では、光アドレス媒体３００は、富士ゼロックス社製電子ペーパをベースにした光アドレス媒体である。しかし、本発明の実施においては、感光性インクと共に任意の用紙を使用し得ることが明らかである。幾つかの実施形態では、光アドレス媒体は、有機光導電体、コレステリック材料等から成る。更に他の実施形態では、ヒドロキシ・ガリウム・プタロシアニンが電荷生成材料として使用される。富士ゼロックス社製電子ペーパをベースにした光アドレス媒体は、光伝導性材料間に挟着された双安定のコレステリック結晶を含む。プログラミング電圧は、投射された照明画像４００に関連してバックプレーンに印加される。コレステリック結晶の状態を異なる光学特性に伴う第２の状態に変えることによって、光導電材料は、投射された照明画像４００に基づいて選択的な電流の流れを許容する。コレステリック結晶の状態を異なる光学特性に関連した第２の状態に変更することによって、大きい電流を受けたコレステリック結晶の光学品質が、入射照明画像を記録する。コレステリック結晶は双安定であり、電力が除去されると第２の状態に保持される。
【００６３】
図７は、本発明の例示的な光アドレス媒体３０１の第２の図である。光アドレス媒体３０１は不均一な面に配置されている。種々の例示的実施形態では、照明画像４００に印加される適切な画像変換を決定するために、レジストレーションマーク３１１〜３１４の配向が使用される。画像変換は、不均一な表面、位置合わせ、スキューおよび／またはキーストーニング問題を補償する。照明画像４０１の変換されたものが、光アドレス媒体３０１に投射され、プログラミング電圧が印加される。光アドレス媒体３０１上へ記録される照明画像４０１は、過度のゆがみのない平面で使用されうる。本発明の精神または範囲から逸脱することなく、画像の拡大、縮小のような種々の他の変換も照明画像４０１に対して実行できることが明らかであろう。
【００６４】
図８は、光アドレス媒体３０２に対する周囲光の影響を示す。照明画像４０２が光アドレス媒体３０２に投射される。しかし、周囲照明６００は光アドレス媒体３０２の反射部３４０に入射するエネルギー入を増大させる。光アドレス媒体３０２の第２の部分３５０は、より少ない周囲照明を受ける。光アドレス媒体３０２によって記録される照明画像４０２の明瞭度は、光アドレス媒体３００の反射領域３４０の知覚を困難にする入射周囲照明によって影響される。
【００６５】
図９は、本発明の周囲照明の効果を補償する１つの例示的な方法を示す。光アドレス媒体３０３に印加されるプログラミング電圧は、画素アドレス可能（pixel addressable）となされる。光アドレス媒体３０３の周囲照明は、測定または推定で決定される。各画素に対する周囲照明のエネルギは、周囲光を補償するために調整される。すなわち、画像を正確に記録するために照射されることが必要な光アドレス媒体の領域は、より弱い投射照明により照射される。これにより、電力要件を低減し、照明画像４００の低コントラスト領域のコントラストを不正に増大させる周囲光の効果を低減するのを助長する。
【００６６】
より強い周囲照明は、光アドレス媒体の全てを効果的に露光することによって問題を生ずる。すなわち、周囲照明が十分に強いと、コントラストの高い領域と低い領域との間の区別が明白でなくなり、記録された画像が感知されない。これらの問題は、照明画像を投射するために使用される光または照明の種類に関連して光アドレス媒体を選択することによって対処される。例えば、光アドレス媒体は、周辺蛍光灯、白熱灯又は自然の太陽光では見られないレーザ光線の特定の波長に反応するように調整されうる。それらの効果をさらに低減するためには、多数の照明光源を組み合わせること、および／または、フィルタを使用することができる。
【００６７】
図１０は第２の例示的な光アドレス媒体３０４である。この第２の例示的な光アドレス媒体３０４は、赤色レーザおよび赤外線照明光源に反応するよう調整される。プログラミング電圧が印加される間、光アドレス媒体３０４と任意の照明光源の間との間に帯域フィルタ７００が配置される。周囲照明および／または他のタイプのエネルギーを遮蔽した状態で、投射画像４００の赤色レーザおよび赤外線照明を通過させるように、帯域フィルタ７００が調整される。その結果得られた画像は、周囲照明による影響が少ない。
【００６８】
図１１は、本発明の携帯可能多機能装置を提供する例示的な方法である。この方法は、ステップＳ１００から始まり、直ちにステップＳ２００へと進む。ステップＳ２００では、画像源が決定される。画像源は、カメラ、マイクロソフトワード、エクセル、アドビフォオトショップのようなアプリケーション、画像リポジトリおよび／または他の公知の、或いは後で開発される画像源であり得る。画像源が決定された後、制御はステップＳ３００へと続く。
【００６９】
ステップＳ３００では、画像源から得られる第１の画像が決定される。この第１の画像は、ドロップダウンダイアログボックス、カーソルまたはペンジェスチャ選択等を使用して決定され得る。しかし、本発明の実施においては、第１の画像を選択するための任意の方法を使用できることが明かであろう。第１の画像が決定されたあと、制御はステップＳ４００へと続く。
【００７０】
ステップＳ４００では、光アドレス媒体が決定される。光アドレス媒体は富士ゼロックス社製の電子ペーパ製品および／または他の周知の、或いは後で開発されるタイプの光アドレス媒体であり得る。次に、制御はステップＳ５００へと続く。
【００７１】
ステップＳ５００では、光アドレス媒体の空間的可変照明が、第１の画像に基づいて決定される。この空間的可変照明は、シンボル・テクノロジーズ社マイクロ・プロジェクタ・レーザ等のような点光源レーザによって提供される。マイクロ・プロジェクタレーザ装置は、コンパクトで非常に携帯しやすい空間的可変照明光源を提供する。しかし、本発明の範囲を逸脱することなく、種々の他の周知の、或いは後で開発されるタイプの空間的可変照明光源も使用され得ることは明らかであろう。空間的可変照明の決定後、制御は任意のステップＳ６００へと続く。
【００７２】
任意のステップＳ６００では、空間的可変照明を光アドレス媒体に適用し、結果として生じる光アドレス媒体の画像を記憶することにより、任意の第２の画像が決定される。第２の画像は光アドレス媒体に投射される画像に基づいている。第２の画像は、光アドレス媒体に記録される際に、第１の画像がどのように見えるかについての表示を提供する。任意の第２の画像は、デジタルカメラ、電荷結合素子（ＣＣＤ）および／または周知の、或いは後で開発される画像を取り込む手段を使用して記録される。第２の画像は、投射された画像が光アドレス媒体上の任意のレジストレーションマークに対して位置がずれていることを判定するために使用される。任意の第２の画像の記録後、制御は任意のステップＳ７００へと続く。
【００７３】
任意のステップＳ７００では、第１の画像の任意の変換が、任意の第２の画像に基づいて決定される。位置ずれした、或いは歪んだ画像は、光アドレス媒体の位置ずれを補償するように画像を変換することによって修正される。テキストのサイズを増やし、画像等の明瞭度を高める等のために、他の任意の変換が使用され得る。第１の画像の任意の変換が決定されたあと、制御はステップＳ８００へと続く。
【００７４】
ステップＳ８００では、光アドレス媒体の任意の補償が、第１および第２の画像に基づいて決定される。例えば、第２の画像は、周囲光が第１の投射された画像をぼやけさせる（wash-out）おそれがあることを検出するために使用し得る。光アドレス媒体等の部分に適用されるプログラミング電圧の補償の減少は、周囲光の効果を低減するために使用される。その後、制御はステップＳ９００へと続く。
【００７５】
ステップＳ９００では、任意に変換された最終の画像が、光アドレス媒体に投射され、所要のプログラミング電圧が印加される。その後、投射された画像は、光アドレス媒体上へ安定的に記録される。本発明の種々の他の実施形態では、帯域フィルタは、光アドレス媒体と他の照明光源との間に任意に配置される。帯域フィルタは、空間的可照明変源と関連する波長を選択的に通過させることにより、周囲照明の効果を低減する。
【００７６】
本発明の種々の他の例示的実施形態において、画像は多機能装置１００、ラップトップコンピュータ（図示せず）、情報レポジトリ（図示せず）および／または通信リンク９９を介してアクセス可能な他のあらゆる位置に配置され得ることは明らかであろう。
【００７７】
図２に記載の多機能装置１００の各部１０〜７０は、適切にプログラムされた汎用コンピューターの一部として実装し得る。あるいは、上記で概説した多機能装置１００の各部１０〜７０は、ＡＳＩＣ内の物理的に個別のハードウエア部として、或いはＦＰＧＡ、ＰＤＬ、ＰＬＡまたはＰＡＬを使用して、或いは、個別論理素子或いは個別回路素子を使用して実装し得る。上記で概説される多機能装置１００の各部１０〜７０の特定の形態は、設計上の選択事項であり、当業者にとって自明かつ予測可能であろう。
【００７８】
さらに、多機能装置１００および／または上記の種々の部の各々が、ソフトウェア・ルーチン、マネージャまたはプログラムされた汎用コンピュータ、専用コンピュータ、マイクロプロセッサ等で実行するオブジェクトとして実装可能である。この場合、多機能装置１００および／または上記の種々の部の各々が、通信網に埋め込まれる１つ以上のルーチンとして、サーバ等に常駐するリソースとして実装される。上記の多機能装置１００及び種々の部は、ウェブサーバまたはクライアント装置のハードウェアおよびソフトウェア・システム等の多機能装置１００をソフトウェアおよび／またはハードウエア・システムに物理的に組み込むことによっても実装可能である。
【００７９】
図２に示すように、メモリ２０は、変更可能な、揮発性のまたは不揮発性のメモリまたは変更不可能なまたは固定したメモリの任意適当な組合わせを使用して実装可能である。変更可能なメモリは、揮発性であるか不揮発性であるかを問わず、スタティックまたはダイナミックＲＡＭ、フロッピー（登録商標）ディスクおよびディスクドライブ、書き込み可能、或いは書き換え可能な光ディスクおよびディスク・ドライブ、ハードドライブ、フラッシュメモリ等の１つ以上を使用して実装可能である。同様に、変更不可能な或いは固定したメモリは、ＣＤ−ＲＯＭまたはＤＶＤ−ＲＯＭディスクおよびディスクドライブ等のようなＲＯＭ、ＰＲＯＭ、ＥＰＲＯＭ、ＥＥＰＲＯＭ、光学ＲＯＭディスクの１つ以上を使用することにより実装可能である。
【００８０】
図２、３、５に示された通信リンク９９は、直接ケーブル接続、広域ネットワークまたはローカルエリアネットワークによる接続、イントラネットによる接続、インターネットによる接続、またはあらゆる他の分配された処理ネットワークまたはシステムによる接続を含む、多機能装置１００に通信装置を接続するための周知の或いは後で開発される装置またはシステムであり得る。一般に、通信リンク９９は、装置を接続して通信を容易にするために使用できる周知の又は後で開発される接続システムまたは構造であり得る。
【００８１】
さらに、通信リンク９９は、ネットワークに対する有線或いは無線のリンクでありうることを理解すべきである。ネットワークは、ローカルエリアネットワーク、広域ネットワーク、イントラネット、インターネットまたは他のあらゆる分散処理およびストレージネットワークでもありうる。
【００８２】
本発明は上記の例示的実施形態に関連して説明されたが、多くの代替、修正および変更が当業者にとって明らかとなることは明白である。したがって、前述した本発明の例示的実施形態は、説明を目的とするものであり、限定するものではない。本発明の精神と範囲から逸脱することなく、種々の変更がなされうる。
【図面の簡単な説明】
【００８３】
【図１】本発明の多機能装置の第１の例示的実施形態である。
【図２】本発明の多機能装置の第２の例示的実施形態である。
【図３】本発明の多機能装置により使用可能な種々の画像源の例示的な概観図である。
【図４】本発明の例示的な多機能装置の使用についての第１の概観図である。
【図５】本発明の多機能装置の第３の例示的実施形態を示す。
【図６】本発明の例示的な光アドレス媒体の第１の図である。
【図７】本発明の例示的な光アドレス媒体の第２の図である。
【図８】光アドレス媒体に対する周囲光の影響を示す。
【図９】本発明による周囲照明の効果を補償する１つの例示的な方法を示す。
【図１０】第２の例示的な光アドレス媒体である。
【図１１】本発明の携帯可能な多機能装置を提供する例示的な方法である。
【符号の説明】
【００８４】
１０：入力／出力部
２０：メモリ
３０：プロセッサ
３５：画像取得部
４０：照明画像発生部
５０：光変換部
６０：周囲照明部
７０：登録部
８０：照明光源
１００：多機能装置
３００：光アドレス媒体
５１０：カメラ
５１１：メモリカード
５１２：メモリカードポート
５２０：画像リポジトリ
５３０：インターネットリポジトリ
５４０：画像アプリケーション
【図１】
2007104686.tif 000003
【図２】
2007104686.tif 000004
【図３】
2007104686.tif 000005
【図４】
2007104686.tif 000006
【図５】
2007104686.tif 000007
【図６】
2007104686.tif 000008
【図７】
2007104686.tif 000009
【図８】
2007104686.tif 000010
【図９】
2007104686.tif 000011
【図１０】
2007104686.tif 000012
【図１１】
2007104686.tif 000013